【手続補正書】
【提出日】平成19年12月20日(2007.12.20)
【手続補正１】
【補正対象書類名】特許請求の範囲
【補正対象項目名】全文
【補正方法】変更
【補正の内容】
【特許請求の範囲】
【請求項１】
防犯状況を通知する携帯型の防犯状況通知装置であって、
付近の防犯状況を判定するための防犯状況判定用情報として、付近の防犯装置の個数を取得する防犯状況判定用情報取得手段と、
前記防犯状況判定用情報取得手段により取得された付近の防犯装置の個数に基づき、防犯状況を判定する防犯状況判定手段と、を備えていることを特徴とする防犯状況通知装置。
【請求項２】
前記防犯状況判定用情報取得手段は、前記防犯状況判定用情報として、付近の防犯装置の個数を種類別に検出し、
前記防犯状況判定手段は、該検出された防犯装置の種類別個数に基づき防犯状況を判定することを特徴とする、請求項１に記載の防犯状況通知装置。
【請求項３】
前記防犯状況判定用情報取得手段は、前記防犯状況判定用情報として、さらに、付近の防犯カメラの視野情報及び付近の地理的な治安状況のいずれか一方または双方を取得することを特徴とする、請求項１または２に記載の防犯状況通知装置。
【請求項４】
前記防犯状況判定手段による判定結果に基づき、所定の通知を行う防犯状況通知手段を備えていることを特徴とする、請求項１から３までのいずれか１項に記載の防犯状況通知装置。
【請求項５】
前記防犯状況通知手段は、表示出力、音声出力、又は振動出力により、前記所定の通知を行うことを特徴とする、請求項４に記載の防犯状況通知装置。
【請求項６】
さらに、外部の機器と通信を行う通信手段を含み、
前記防犯状況通知手段は、前記防犯状況判定手段による判定結果に応じて、前記通信手段により所定の通信先へ所定の通知を行うことを特徴とする、請求項４または５に記載の防犯状況通知装置。
【請求項７】
さらに、地理的な現在位置の取得を行う現在位置取得手段を備え、
前記防犯状況通知手段は、前記通信手段により所定の通信先へ所定の通知を行う際に、前記現在位置取得手段により取得された現在位置を通知することを特徴とする、請求項６に記載の防犯状況通知装置。
【請求項８】
さらに、地理的な現在位置の取得を行う現在位置取得手段を備え、
前記防犯状況判定用情報取得手段は、前記現在位置取得手段により取得された現在位置に基づいて、前記通信手段により、所定の外部装置より防犯状況判定用情報を取得することを特徴とする、請求項６に記載の防犯状況通知装置。
【請求項９】
さらに、威嚇等を行う撃退手段を備え、
前記防犯状況通知手段は、前記撃退手段の動作時に、前記現在位置取得手段により取得された現在位置を、前記通信手段により所定の通信先へ通知することを特徴とする、請求項６から８までのいずれかに記載の防犯状況通知装置。
【請求項１０】
前記防犯状況通知手段は、前記撃退手段の動作後に、前記現在位置取得手段により取得された現在位置を、前記通信手段により所定の通信先へ継続的に通知することを特徴とする、請求項９に記載の防犯状況通知装置。
【請求項１１】
さらに、音声入力手段または映像入力手段を備え、
前記防犯状況通知手段は、前記撃退手段の動作後に、前記音声入力手段または映像入力手段により取得された音声または映像を、前記通信手段により所定の通信先へ継続的に通知することを特徴とする、請求項９または１０に記載の防犯状況通知装置。
【請求項１２】
携帯電話であることを特徴とする、請求項１から１１までのいずれかに記載の防犯状況通知装置。
【請求項１３】
防犯状況を提供する防犯状況提供装置であって、
外部の機器と通信を行う通信手段と、
防犯状況を評価するための情報を記憶する防犯状況評価用情報記憶手段と、
前記防犯状況評価用情報記憶手段に記憶された評価用情報に基づき防犯状況を評価する防犯状況評価手段と、
を備え、
前記通信手段により、外部の機器より、防犯状況要求とその現在位置情報とを受信すると、前記防犯状況評価手段は、前記防犯状況評価用情報記憶手段に記憶された評価用情報に基づいて、受信した現在位置の防犯情報を評価し、前記通信手段により該評価結果を返信することを特徴とする、防犯状況提供装置。
【請求項１４】
さらに、防犯状況を評価するための情報を取得する防犯状況評価用情報取得手段を備え、
前記防犯状況評価用情報取得手段により取得した評価用情報を前記防犯状況評価用情報記憶手段に記憶することを特徴とする、請求項１３に記載の防犯状況提供装置。
【請求項１５】
前記防犯状況評価用情報取得手段が取得する評価用情報は、防犯装置の個数、防犯装置の種類別個数、防犯カメラの視野情報及び地理的な治安状況情報の中から選択された１または複数の情報であることを特徴とする、請求項１４に記載の防犯状況提供装置。
【請求項１６】
前記防犯状況評価手段は、前記防犯状況評価用情報記憶手段に記憶される、前記防犯装置の個数、防犯装置の種類別個数、防犯カメラの視野情報及び地理的な治安状況情報の中から選択された１または複数の情報に基づいて、受信した現在位置の防犯状況を評価することを特徴とする請求項１５に記載の防犯状況提供装置。
【請求項１７】
さらに、前記防犯状況評価手段による評価結果に基づき、所定の通知を行う防犯状況通知手段を備え、
前記防犯状況通知手段は、前記評価結果が所定の防犯状況であった場合に、前記通信手段により、前記外部の機器以外の所定の通信先へ所定の通知を行うことを特徴とする、請求項１３から１６までのいずれかに記載の防犯状況提供装置。
【請求項１８】
前記外部の機器が、威嚇等を行う撃退手段を有するものであって、
前記防犯状況通知手段は、前記通信手段により、前記外部の機器より、該外部の機器の撃退手段が動作した旨を受信すると、前記通信手段により、前記外部の機器以外の所定の通信先へ所定の通知を行うことを特徴とする、請求項１７に記載の防犯状況提供装置。
【請求項１９】
前記防犯状況通知手段は、前記通信手段により所定の通信先へ所定の通知を行う際に、前記外部の機器より受信した現在位置を併せて通知することを特徴とする、請求項１７または１８に記載の防犯状況提供装置。
【請求項２０】
防犯状況を通知する防犯状況通知方法であって、
防犯状況通知装置の現在位置付近の防犯状況を判定するための防犯状況判定用情報として、防犯状況通知装置の現在位置付近の防犯装置の個数を取得する防犯状況判定用情報取得ステップと、
前記防犯状況判定用情報取得ステップにより取得された該検出された防犯装置の個数に基づき防犯状況を判定する防犯状況判定ステップと、を含むことを特徴とする防犯状況通知方法。
【請求項２１】
前記防犯状況判定用情報取得ステップは、防犯状況判定用情報として、防犯状況通知装置の現在位置付近の防犯装置の種類別個数を検出し、
前記防犯状況判定ステップは、該検出された防犯装置の種類別個数に基づき防犯状況を判定することを特徴とする、請求項２０に記載の防犯状況通知方法。
【請求項２２】
前記防犯状況判定ステップによる判定結果に基づき、所定の通知を行う防犯状況通知ステップと、を含むことを特徴とする請求項２０または２１に記載の防犯状況通知方法。
【請求項２３】
さらに、外部の機器と通信を行う通信ステップを含み、
前記通信ステップは、前記防犯状況判定ステップによる判定結果に応じて、所定の通信先へ所定の通知を行うことを特徴とする、請求項２０から２２のいずれか１項に記載の防犯状況通知方法。
【請求項２４】
さらに、地理的な現在位置の取得を行う現在位置取得ステップを含み、
前記通信ステップは、所定の通信先へ所定の通知を行う際に、前記現在位置取得ステップにより取得された現在位置を通知することを特徴とする、請求項２３に記載の防犯状況通知方法。
【請求項２５】
さらに、地理的な現在位置の取得を行う現在位置取得ステップを含み、
前記防犯状況判定用情報取得ステップは、前記現在位置取得ステップにより取得された現在位置に基づいて、所定の外部装置より防犯状況を判定するための情報を取得することを特徴とする、請求項２０から２４までのいずれかに記載の防犯状況通知方法。
【請求項２６】
請求項２０から２５のいずれかに記載の防犯状況通知方法をコンピュータに実行させるためのコンピュータプログラム。